(57)【要約】【課題】ブラケット撮影により得られた画像群を含む複数の画像に対し内容検索を行う場合に、検索処理に要する時間を短縮する。【解決手段】画像検索装置が、画像蓄積部に蓄積された複数の画像の中から検索対象画像を決定する検索対象決定部と、ユーザ操作により指定された検索内容を示す検索条件を取得する検索内容選択部と、検索内容選択部で取得した検索条件を用いて、検索対象決定部で決定された検索対象画像に対する内容検索の処理を実行する検索実行部と、検索実行部の検索結果を表示部に表示する検索結果表示制御部と、を有する。同一被写体を複数の撮影条件で撮影することで得られた画像群が画像蓄積部に蓄積された画像の中に含まれていた場合に、検索対象決定部は、画像群のうちから選択した代表画像を検索対象画像に設定し、画像群のうち代表画像以外の画像を検索対象画像から除外する。【選択図】図１
2011193435.tif 000002
【特許請求の範囲】
【請求項１】
静止画像又は動画像の内容検索を行う画像検索装置であって、
複数の画像を蓄積する画像蓄積部と、
前記画像蓄積部に蓄積された複数の画像の中から検索対象画像を決定する検索対象決定部と、
ユーザ操作により指定された検索内容を示す検索条件を取得する検索内容選択部と、
前記検索内容選択部で取得した検索条件を用いて、前記検索対象決定部で決定された検索対象画像に対する内容検索の処理を実行する検索実行部と、
前記検索実行部の検索結果を表示部に表示する検索結果表示制御部と、
を有し、
同一被写体を複数の撮影条件で撮影することで得られた画像群が前記画像蓄積部に蓄積された画像の中に含まれていた場合に、
前記検索対象決定部は、前記画像群のうちから選択した代表画像を検索対象画像に設定し、前記画像群のうち前記代表画像以外の画像を検索対象画像から除外する
ことを特徴とする画像検索装置。
【請求項２】
前記検索対象決定部は、前記画像群のうちから、撮影条件が所定条件に一致する画像を前記代表画像として選択することを特徴とする請求項１に記載の画像検索装置。
【請求項３】
前記検索対象決定部は、前記画像群のうちから、閲覧履歴のある画像を前記代表画像として選択することを特徴とする請求項１に記載の画像検索装置。
【請求項４】
前記検索実行部の検索結果に前記代表画像が含まれている場合に、
前記検索結果表示制御部は、前記代表画像に加えて、前記画像群のうち前記代表画像以外の画像も前記表示部に表示することを特徴とする請求項１〜３のうちいずれか１項に記載の画像検索装置。
【請求項５】
静止画像又は動画像の内容検索を行う画像検索方法であって、
コンピュータが、
画像蓄積部に蓄積された複数の画像の中から検索対象画像を決定する検索対象決定ステップと、
ユーザ操作により指定された検索内容を示す検索条件を取得する検索内容選択ステップと、
前記検索内容選択ステップで取得した検索条件を用いて、前記検索対象決定ステップで決定された検索対象画像に対する内容検索の処理を実行する検索実行ステップと、
前記検索実行ステップの検索結果を表示部に表示する検索結果表示制御ステップと、
を実行し、
同一被写体を複数の撮影条件で撮影することで得られた画像群が前記画像蓄積部に蓄積された画像の中に含まれていた場合に、
前記検索対象決定ステップは、前記画像群のうちから選択した代表画像を検索対象画像に設定し、前記画像群のうち前記代表画像以外の画像を検索対象画像から除外する
ことを特徴とする画像検索方法。
【発明の詳細な説明】
【技術分野】
【０００１】
本発明は、静止画像又は動画像の内容検索を行う画像検索装置及び画像検索方法に関する。
【背景技術】
【０００２】
同一の被写体に対し、画像撮影時に撮影パラメータ（撮影条件）を複数変化させて撮影を行う撮影はブラケット撮影と呼ばれている。具体的な例としては、ユーザが静止画の撮影時に選択した露出の基準値に対し、基準値そのものと、その基準値を前後する複数の露出値を用いて、連続して撮影するケースがある。ユーザは撮影された複数の露出値の画像の中から所望の画像を選択することが可能となり、撮影時の撮影パラメータ選択ミスによる失敗を防ぐことが出来る。また、複数の異なる撮影パラメータでの撮影結果をそのまま残しておきたい場合にも有効である。
【０００３】
近年、デジタル一眼レフカメラで動画が撮影されるケースが増加しており、従来のデジタルビデオカメラでの撮影と比較し、様々な交換レンズを利用した多様な表現が動画にも採用されつつある。よって、今後は動画を撮影する場合においても、ブラケット撮影を行いながら動画を撮影する、「ブラケット動画」の実現性が高まると考えられる。
動画に対するブラケット撮影とは、動画の各フレームに対し、複数の撮影パラメータ（撮影条件）で記録、撮影を行うことであり、本明細書ではそういった撮影を行われた動画を「ブラケット動画」と定義する。
【０００４】
図６にブラケット動画と通常の動画の例を示す。ブラケット撮影時に変化させるパラメータは前述の露出に限らず、フォーカス、ＩＳＯ感度、ホワイトバランス、画角、シャッタースピード等多様なパラメータが考えられる。また、立体映像（３Ｄ映像）の撮影が可能な２眼カメラで左目用画像と右目用画像とを撮影する場合は、左目用画像と右目用画像のそれぞれの視点位置が撮影パラメータに対応する。
図６の上段は、フォーカスをブラケットパラメータとして変化させた場合のブラケット動画の例を示す。フォーカスＡで撮影された符号１０１で示されるフレームは、被写体の中でも人の位置にピントがあった状態であり、フォーカスＢで撮影された符号１０２で示されるフレームは、車の位置にピントがあった状態になっている。対して、図６の下段に示すように、通常の動画のフレーム１０３の場合は、撮影パラメータは一通りの固定値となる。
図６の例ではユーザがこのブラケット動画再生時に、フレーム１０１とフレーム１０２のうちから、望ましい画像を選択して再生することが可能となる。具体的には、人の位置にピントがあった状態が望ましい場合はフレーム１０１を再生し、車の位置にピントが合った状態が望ましい場合にはフレーム１０２を再生する。また、再生中にフレーム１０１とフレーム１０２を切り替えることも可能となる。
【０００５】
ところで、ブラケット撮影画像は、静止画もしくは動画にかかわらず、同様のシーン、コンテンツについて複数回の撮影が行われているため、被写体一つあたりのデータ量やフレーム数は通常の動画よりも増大する。図６のブラケット動画の例で示すと、通常の動画は当然ながら連続したフレームからなる一つの動画ストリームであるが、ブラケット動画はフォーカスが２種類（フォーカスＡ，フォーカスＢ）であれば、通常の動画の２倍のフレーム数となる。
【０００６】
ブラケット撮影画像を含む多数の画像の中から、所望の画像を探し出すための検索を行う場合、単純に全てのデータ、フレームを検索対象とすると無駄が多い。例えば、図６の
ように異なるフォーカス領域（フォーカスＡ，フォーカスＢ）を持つブラケット動画の場合、撮影対象の内容としてはフォーカスＡとフォーカスＢのフレーム群は類似しているにもかかわらず、通常の動画に比べ単純には２倍の検索時間がかかる。検索対象が静止画像であっても、画像認識技術などにより所望の画像を探し出すための検索処理を行う場合は、静止画像の数が多いと検索処理に要する時間が長くなる。検索対象が動画像の場合は、検索対象が静止画像の場合よりも長い時間が検索処理に必要となる。
【０００７】
従来、ブラケット撮影された画像に対して検索を行う場合、所望の画像を容易に検索する目的から、撮影条件を選択すると撮影条件に合致した画像群を検索結果として表示するといった提案がなされている（例えば、特許文献１参照）。
また、特許文献２には、「属性情報」、「主画像」データ、「インデックス表示用サムネイル画像」データ、「１コマ表示用画像」データから構成される画像ファイルに対し、「１コマ表示用画像」データだけを検索対象とすることが開示されている。
また、特許文献３には、ブラケット撮影の識別子情報が付加されたサムネイル画像が存在する場合に、代表のサムネイル画像（中心の露出値を持つサムネイル画像など）を選択して、サムネイル画像の一覧表示を行うことが開示されている。
【先行技術文献】
【特許文献】
【０００８】
【特許文献１】特開２００８−２５２６８２号公報
【特許文献２】特開２００８−１８２６６２号公報
【特許文献３】特開２００５−１６７４６９号公報
【発明の概要】
【発明が解決しようとする課題】
【０００９】
上述した特許文献１に記載の技術は、撮影条件がメタデータのような形式で画像に付与されている場合に、その付与されている情報を全画像から検索するものである。ブラケット撮影された画像が対象であるため、撮影条件で検索を行うことは有効であると考える。
しかしながら、対象とする画像は全画像であるため、結局、検索時間はブラケットパラメータの数に比例して多くなってしまう問題がある。また、最近は、画像認識技術を利用した内容検索（例えば、「赤っぽい」かつ「Ａさん」が写っている画像を検索）が一般的になっているが、上述の従来例のように撮影条件を利用した方法は内容検索には採用できない。
また、上述した特許文献２に記載の技術は、ブラケット撮影された画像を想定したものではないので、ブラケット撮影された全ての画像の「１コマ表示用画像」データを検索対象とすることになってしまう。また、特許文献３は、画像認識技術などにより所望の画像を探し出すための検索処理を行う場合を想定したものではない。
そこで、本発明は、ブラケット撮影により得られた画像群を含む複数の画像に対し内容検索を行う場合に、検索処理に要する時間を短縮することが可能となる技術を提供することを目的とする。
【課題を解決するための手段】
【００１０】
本発明の第１態様は、静止画像又は動画像の内容検索を行う画像検索装置であって、複数の画像を蓄積する画像蓄積部と、前記画像蓄積部に蓄積された複数の画像の中から検索対象画像を決定する検索対象決定部と、ユーザ操作により指定された検索内容を示す検索条件を取得する検索内容選択部と、前記検索内容選択部で取得した検索条件を用いて、前記検索対象決定部で決定された検索対象画像に対する内容検索の処理を実行する検索実行部と、前記検索実行部の検索結果を表示部に表示する検索結果表示制御部と、を有し、同一被写体を複数の撮影条件で撮影することで得られた画像群が前記画像蓄積部に蓄積された画像の中に含まれていた場合に、前記検索対象決定部は、前記画像群のうちから選択し
た代表画像を検索対象画像に設定し、前記画像群のうち前記代表画像以外の画像を検索対象画像から除外する画像検索装置を提供する。
【００１１】
本発明の第２態様は、静止画像又は動画像の内容検索を行う画像検索方法であって、コンピュータが、画像蓄積部に蓄積された複数の画像の中から検索対象画像を決定する検索対象決定ステップと、ユーザ操作により指定された検索内容を示す検索条件を取得する検索内容選択ステップと、前記検索内容選択ステップで取得した検索条件を用いて、前記検索対象決定ステップで決定された検索対象画像に対する内容検索の処理を実行する検索実行ステップと、前記検索実行ステップの検索結果を表示部に表示する検索結果表示制御ステップと、を実行し、同一被写体を複数の撮影条件で撮影することで得られた画像群が前記画像蓄積部に蓄積された画像の中に含まれていた場合に、前記検索対象決定ステップは、前記画像群のうちから選択した代表画像を検索対象画像に設定し、前記画像群のうち前記代表画像以外の画像を検索対象画像から除外する画像検索方法を提供する。
【発明の効果】
【００１２】
本発明によれば、ブラケット撮影により得られた画像群を含む複数の画像に対し内容検索を行う場合に、検索処理に要する時間を短縮することが可能となる。
【図面の簡単な説明】
【００１３】
【図１】検索対象の絞り込みを示すフローチャートである。
【図２】画像検索装置の構成を示す図である。
【図３】撮影と代表ブラケットパラメータの関係を示す図である。
【図４】閲覧と代表ブラケットパラメータの関係を示す図である。
【図５】検索結果の表示の一例を示す図である。
【図６】ブラケット動画の事例を示す図である。
【発明を実施するための形態】
【００１４】
本発明は、デジタル画像（静止画像か動画像かを問わない）の内容検索を行う技術に関し、好適には、ブラケット撮影により得られた画像群を対象とした内容検索に関するものである。ここで、ブラケット撮影とは、同一被写体を複数の異なる撮影条件（撮影パラメータ）で連続的又は同時に撮影することをいい、ブラケット撮影により得られた画像のことをブラケット撮影画像とよぶ。また、内容検索とは、画像認識技術や画像解析処理技術を利用した検索処理のことであり、例えば画像から抽出される被写体の形状・色・大きさ等にかかわる特徴量や被写体の認識結果を検索キー（検索条件）と照合することで、所望の画像を選び出す技術をいう。
【００１５】
［実施例１］
図２に画像検索装置の構成を示す。この画像検索装置は、多数の画像データを蓄積する装置（例えば、レコーダ、テレビジョン、パーソナルコンピュータ、デジタルビデオカメラ、デジタルカメラ等）に好ましく適用できる。図２において、操作部２０１は、ユーザ操作による入力を受け付ける部分であり、例えば装置本体に設けられたスイッチやリモートコントローラなどが該当する。画像蓄積部２０３、画像情報蓄積部２０５、検索結果格納部２０９は、データを蓄積する部分であり、例えばＲＡＭ、フラッシュメモリ、ハードディスクなどの記憶装置が該当する。検索画像制御部２０２、画像種別判別部２０４、検索対象決定部２０６、検索内容選択部２０７、検索実行部２０８、検索結果表示制御部２１０は、装置内のコンピュータ（ＣＰＵ、ＭＰＵなど）がプログラムを実行することで実現される機能手段である。なお、図示しないが、検索結果表示制御部２１０の出力は、装置本体の表示部（図３（ａ）の表示部４０２参照）又は装置外部の表示装置に表示される。表示部や表示装置としては、液晶ディスプレイ、プラズマディスプレイ、有機ＥＬディスプレイ、ＦＥＤ（電界放出型ディスプレイ）などを用いることができる。
【００１６】
本実施例における画像検索の流れについて述べる。操作部２０１はユーザが画像検索に関する操作を行った場合に検索画像制御部２０２に検索指示を行う。検索指示を受けた検索画像制御部２０２は画像蓄積部２０３に画像を出力するように画像出力指示を行う。画像出力指示を受けた画像蓄積部２０３は蓄積されている画像を画像種別判別部２０４と検索対象決定部２０６へ出力する。画像種別判別部２０４は画像蓄積部２０３から入力された画像がブラケット撮影画像であるかどうかを判別し、判別結果を検索対象決定部２０６へ出力する。なお、ブラケット撮影画像は動画像であるか静止画であるかを問わない。
【００１７】
ブラケット撮影画像であるかの判別方法としては、どのような方法を用いてもよい。例えば以下のような方法が考えられる。
（１）ブラケット撮影時に画像にあらかじめ付与したメタデータから判別する。この方法は、判別が容易であるという利点がある。ただし、メタデータが付与されていない場合は使用できない。
（２）また、画像種別判別部２０４に入力される画像に対し、現在対象となっている画像とその直前に入力された画像を比較し、類似しているかを判断し、類似している場合はブラケット撮影画像と見なす方法も考えられる。この方法は、メタデータが付与されていないブラケット撮影画像にも適用可能である。類似判断を行う方法については問わないが、類似判断に用いる処理を複雑にすると、結果的に検索処理に要する時間が長くなるため、簡易的な手段が望ましい。
【００１８】
画像情報蓄積部２０５は検索画像制御部２０２からの指示に従い画像情報を検索対象決定部２０６へ出力する。本実施例では、画像情報蓄積部２０５に蓄積されている情報は、画像蓄積部２０３に蓄積されている画像データに対し撮影時やユーザ操作によって付与された代表ブラケットパラメータ情報である。これは、複数のブラケットパラメータで撮影された画像から、代表ブラケットパラメータを持つ画像のみに検索対象を絞り込む際に使用する。具体的かつ詳細には、後述する。
【００１９】
検索対象決定部２０６は、画像種別判別部２０４からの判別結果と画像情報蓄積部２０５からの画像情報を用いて、画像蓄積部２０３から入力された画像を検索対象とするか否かを決定する。検索対象と判断された画像は検索実行部２０８へ送られるが、ここで検索対象外とされた画像は検索実行部２０８へ送られず、検索されない。
【００２０】
検索内容選択部２０７は、ユーザが操作部２０１を操作して入力した検索キー（検索条件あるいは検索内容ともいう）を取得し、検索実行部２０８に送る。検索実行部２０８は、検索内容選択部２０７から取得した検索キーを用いて、検索対象決定部２０６から送られる画像（検索対象画像）に対する内容検索を実行する。
【００２１】
例えば、ユーザが「赤」が含まれていて「Ａさん」が表示されている画像（赤い服を着たＡさんが写っている画像）を検索したいとすると、操作部２０１での操作に従って、検索内容選択部２０７からは「赤」「Ａさん」を示す検索キーが検索実行部２０８へ送られる。「赤」を検索する場合は、検索実行部２０８は、画像データから「赤」を示すデータの割合を見て、ある閾値以上であれば「赤」が含まれる画像とする。また、「Ａさん」を検索する場合は、検索実行部２０８は、現在では一般的な技術である顔認識を利用して、予め登録された「Ａさん」の顔画像との比較処理を行うことで、検索対象の画像中に「Ａさん」の顔が含まれているかを調べる。「Ａさん」が認識された場合は、「Ａさん」が含まれる画像とする。「赤」かつ「Ａさん」の画像としては上記「赤」と「Ａさん」の検索結果の双方に含まれる画像が該当することになる。
なお、検索内容選択部２０７と検索実行部２０８の動作について、上記で述べた内容は一例である。検索内容選択部２０７から送られる内容や、検索実行部２０８で検索する際
に用いられる方法については、上記の例に限定されない。
【００２２】
検索実行部２０８で検索された結果は検索結果格納部２０９へ送られ、検索結果表示制御部２１０で表示部４０２に表示される。検索結果表示制御部２１０は操作部２０１からの指示に従って表示内容を変化させる。例えば、ユーザが検索結果画像から一枚を選択し、拡大表示する操作を行った場合は、検索結果表示制御部２１０は選択された画像を拡大して表示部４０２に表示する。
【００２３】
ここで、あらためて検索対象の絞り込みについて、フローチャートで説明し、その後、絞り込みの際に重要となる代表ブラケットパラメータについて詳細に述べる。
【００２４】
図１に検索対象の絞り込みに関するフローチャートを示す。
検索が開始されると、図２の画像種別判別部２０４でブラケット撮影画像であるかどうかの判別が行われる（Ｓ１０１）。ブラケット撮影画像でない場合は図２の検索対象決定部２０６で検索対象として選択される。ブラケット撮影画像である場合は図２の検索対象決定部２０６で検索対象画像に設定するかどうかの判断が行われる（Ｓ１０２）。具体的には、検索対象決定部２０６は、ブラケット撮影画像の撮影パラメータ（撮影条件）を、画像情報蓄積部２０５から得られる代表ブラケットパラメータ（所定条件）と比較する。そして、検索対象決定部２０６は、ブラケット撮影画像の撮影パラメータが代表ブラケットパラメータに一致する場合はその画像を検索対象画像に設定し、一致しない場合は検索対象画像から除外する。検索対象画像に設定された画像に対しては内容検索が実行される（Ｓ１０３）。
【００２５】
代表ブラケットパラメータは、ブラケット撮影画像のコンテンツ一つに対し、一つのパラメータである。例えば５種類のパラメータで撮影されたブラケット撮影画像である場合は、その中の１種類のパラメータが代表ブラケットパラメータとなる。すなわち、上記絞り込み処理によれば、ブラケット撮影で得られた５枚の画像群のうちから、代表ブラケットパラメータをもつ画像（代表画像）が選択され、当該代表画像のみが検索対象となる。
絞り込みの基本的な考え方は、被写体の内容が類似しているブラケット撮影された画像に対しては、いずれか１種類のパラメータをもつ代表画像のみを検索対象とすることで検索処理に要する時間を短縮するものである。
【００２６】
なお、本実施例では１つの代表画像のみを選び出す構成を例示したが、ブラケット撮影で得られたＮ個の画像群の中からＭ個（１≦Ｍ＜Ｎ）の代表画像を選び出す構成でもよい。すなわち、ブラケット撮影で得られる画像群の構成枚数よりも少ない数の画像を検索対象とすることで、検索処理に要する時間の短縮が図られる。
【００２７】
次に、上記絞り込みの判断基準となる画像情報蓄積部２０５の情報である代表ブラケットパラメータについて述べる。
【００２８】
本実施例では、撮影時の情報、特にブラケット撮影を行う際にどのパラメータに着目して撮影を行ったかを示すデータを代表ブラケットパラメータとする。
例えば露出に関してブラケット撮影を行う際は、ユーザが露出の値を選択すると、撮影時にその選択された露出値（ここでは±０ＥＶとする）とその前後の値（＋１ＥＶ、−１ＥＶ）とで撮影されることが一般的である。この場合、±０ＥＶとして定義した露出値を代表ブラケットパラメータとする。
【００２９】
図３（ａ）を参照して、ブラケット動画として複数の動画ストリームを同時に撮影する状況をより具体的に説明する。まず撮影パラメータがparamA（例えば、±０ＥＶ）に設定されて、動画ストリーム４０３のフレームＡ１が撮影され、次に撮影パラメータがparamB
（例えば、＋１ＥＶ）に変更されて、動画ストリーム４０４のフレームＢ１が撮影される。以後Ａ２、Ｂ２、Ａ３、Ｂ３と交互に同一被写体に対してパラメータをparamA、paramBと変更しながら撮影を行い、結果、異なるパラメータの動画ストリーム４０３，４０４が記録される。
【００３０】
図３（ａ）で示す例では、paramAのフレーム群４０３が、ユーザが代表ブラケットパラメータとして選択した側のフレーム群からなる動画ストリームであり、撮影しているデジタルカメラ４０１での撮影中に表示部４０２に表示されているものとする。ただし、デジタルカメラ４０１は、ライブビュー機能（表示部４０２で被写体を確認しながら撮影できる機能）を有するものとする。
この時、ブラケット動画であるため、paramAの撮影と同時にparamBでの撮影も別のフレーム群からなる動画ストリーム４０４として撮影・記録されている。ただし、ライブビュー機能を用いて撮影を行う際に、動画ストリーム４０４は表示部４０２に表示されないか、もしくは表示されているが動画ストリーム４０３の表示よりも小さい。
図３（ｂ）に示す例では、paramX（例えば、±０ＥＶ）の静止画像Ｘ１が、ユーザが代表ブラケットパラメータとして選択した静止画像であり、撮影しているデジタルカメラ４０１での撮影中に表示部４０２に表示されているものとする。このとき、ブラケット静止画であるため、paramXの撮影と同時（若しくはほぼ同時）にparamY（例えば、＋１ＥＶ）およびparamZ（例えば、−１ＥＶ）での撮影も行われ、静止画像Ｙ１，Ｚ１として撮影・記録されている。デジタルカメラ４０１が複数のレンズを備えたカメラである場合は、paramX、paramY、paramZを用いた撮影が同時に行われる。また、デジタルカメラ４０１が単眼のレンズを備えたカメラである場合は、paramX、paramY、paramZを用いて順番に連続撮影されることにより、ほぼ同時に撮影が行われる。
【００３１】
上記のようにして得られた代表ブラケットパラメータはユーザが撮影する際に複数のパラメータの中でも注目しているパラメータであり、そのパラメータで撮影された画像は、他のパラメータで撮影された画像と比較して重要度が高いと考えられる。したがって、検索対象を絞り込む際に優先して検索対象画像に選ぶべきと考えられる。
なお、異なる画角でブラケット撮影された場合は、最も高いズーム率を代表ブラケットパラメータとする。例えば、図３（ｃ）に示すように、ズーム率：１倍、３倍でブラケット撮影された場合は、ズーム率３倍で撮影された画像が代表画像として検索対象に選ばれる。これは、ズーム率が高い方が、注目している被写体を捕らえている可能性が高いためである（ズーム率が高い方が被写体が大きく写っていると考えられるため、顔認識処理に適している）。また、異なるフォーカス位置でブラケット撮影された場合は、最短の焦点距離を代表ブラケットパラメータとする。これは、焦点距離が短い被写体の方が、焦点距離が長い被写体に比べてカメラ側に近いため、重要な被写体と考えられるためである。また、異なるシャッタースピードでブラケット撮影された場合は、最も速いシャッタースピードを代表ブラケットパラメータとする。これは、シャッタースピードが速い方が、被写体のブレが小さいと考えられるためである。また、異なるＩＳＯ感度でブラケット撮影された場合は、中間のＩＳＯ感度を代表ブラケットパラメータ（ＩＳＯ感度：１００、２００，４００でブラケット撮影された場合は、ＩＳＯ感度２００が代表ブラケットパラメータ）とする。
以上のように、本発明によれば、ブラケット撮影で得られる画像群の構成枚数よりも少ない数の画像を検索対象とすることで、検索処理に要する時間の短縮が図られる。なお、検索対象は静止画像であっても動画像であってもよいが、検索対象が動画像の場合の方が、検索対象が静止画像の場合よりも検索処理に要する時間が大幅に短縮できる。
【００３２】
［実施例２］
実施例２では、代表ブラケットパラメータの別の例として、ユーザの閲覧履歴について述べる。画像蓄積部２０３に蓄積された複数の画像のうち閲覧されたことのある画像につ
いては、その画像のブラケットパラメータが画像情報蓄積部２０５に代表ブラケットパラメータ（閲覧履歴）として記録される。本実施例では、画像が画像再生部（不図示）で再生された場合に閲覧履歴を記録する。ただし閲覧履歴の記録方法や記録タイミングはこれに限らず、例えばライブビュー機能を用いた撮影時に表示部４０２に表示されていた画像に対して閲覧履歴を記録してもよい。
【００３３】
特にブラケット動画で考えた場合を、図４で示す。ブラケット動画を閲覧する場合、図４のようにparamAとparamBの２種類のパラメータで撮影した場合は、paramAの撮影結果である動画ストリーム５０１とparamBの撮影結果である動画ストリーム５０２が存在する。
このブラケット動画に対し、視聴するユーザはparamAとparamBの映像を切り替えながら視聴する場合がある。例えば、paramAは奥行き方向の奥側にピントがあっていて、paramBは手前側に主にピントが合っているようなブラケット動画において、ユーザが注目している対象が奥から手前に移動してきたような場合が考えられる。
【００３４】
図４では視聴フレームが動画ストリーム５０１のフレームＡ１、Ａ２、動画ストリーム５０２のフレームＢ３、Ｂ４、動画ストリーム５０１のフレームＡ５、Ａ６の順に再生されたとする。この場合、フレームＡ１、Ａ２、Ｂ３、Ｂ４、Ａ５、Ａ６に対するブラケットパラメータが代表ブラケットパラメータとして蓄積される。なお、動画ストリームの閲覧履歴を記録する具体例としては、動画ストリームのフレーム単位で閲覧されたか否かを示す閲覧履歴フラグを付加してもよいし、複数フレームからなるシーン単位で閲覧されたか否かを示す閲覧履歴フラグを付加してもよい。また、閲覧された動画ストリームのタイムコードを記録するようにしてもよい。また、閲覧された回数を示す閲覧回数フラグをフレーム単位（又はシーン単位）で付加し、閲覧回数の最も多いフレーム（又はシーン）のみを検索対象としてもよい。
本実施例のように視聴時に選ばれていたパラメータを代表ブラケットパラメータとすることで、ユーザの再生時の嗜好を反映した、より興味のある画像を検索対象とすることが可能となる。
【００３５】
［実施例３］
検索結果表示制御部２１０は、検索結果格納部２０９から送られた画像を表示するだけでなく、検索結果がブラケット撮影画像の一部であった場合に、同一被写体について撮影した他のブラケット撮影画像についても同時に表示を行うこともできる。ブラケット撮影画像の一部とは、静止画であれば複数枚から構成されるブラケット撮影画像群の中の１枚、動画であれば複数の動画ストリームから構成されるブラケット動画中の１フレームであるとする。すなわち、本実施例では、検索実行部２０８の検索結果にブラケット撮影画像の代表画像が含まれている場合に、その代表画像に加えて、代表画像以外の画像も表示される。
【００３６】
この状態を図５に示す。この場合、検索結果としてはＢ４のフレームが検索結果６０１となるが、Ａ４のフレームについても検索結果表示画面６０２に表示を行う。
このように、検索対象を絞り込んで撮影した結果得られた画像に加えて、その画像と強く関連を持つ他のブラケット撮影画像も同時に表示することで、よりユーザが望む画像を得られる可能性が向上する。具体的には、上述のように「赤」が含まれていて「Ａさん」が表示されているフレームを発見した場合に、Ａさんがぼけた表示になっていたとする。その場合、フォーカスブラケットで撮影された想定では、他のフォーカス値の当該フレームも同時に表示することで、より望ましい「Ａさん」にピントがあった状態のフレームを得ることが可能となる。
【００３７】
なお、上記実施例では、代表ブラケットパラメータの画像のみを検索対象としたが、代表ブラケットパラメータの画像群が検索条件に合致しない場合は、代表ブラケットパラメ
ータ以外の画像についても検索を実行してもよい。このようにすることで、漏れのない検索が可能となる。すなわち、代表ブラケットパラメータを検索対象として選別する行為は、検索の最優先画像群を選択することであり、検索対象に優先度を設定していると考えることも出来る。
【符号の説明】
【００３８】
２０３：画像蓄積部、２０６：検索対象決定部、２０８：検索実行部、２１０：検索結果表示制御部
【図１】
2011193435.tif 000003
【図２】
2011193435.tif 000004
【図３】
2011193435.tif 000005
【図４】
2011193435.tif 000006
【図５】
2011193435.tif 000007
【図６】
2011193435.tif 000008